(57)【要約】      （修正有）【課題】テープカッターのスライド蓋ブレード刃部構造を提供する。【解決手段】スライド蓋４３前縁には、テープの切断に用いるブレード４４を固定して設置し、スライド蓋４３上のブレード４４において、その刃部は、フラットな刃上に、多数の凹型欠口４４０を間隔を開けて設置し、幅が狭い多数のフラット部分４４１を形成し、カッター上のテープロールのテープを、テープ通し溝から引き出し、スライド蓋４３の前方へのスライド動作を完成後、スライド蓋４３上のブレード４４により、引き出したテープに対して、カッティングを行い、ブレード４４刃部上の多数のフラット部分４４１は、相互間に、凹型欠口４４０のセクションカッティング作用を備えるため、テープに対してカッティングの動作を維持し、カットされたテープの切断面はフラットであるため、物件上に、より安定的で美しく貼ることができる。【選択図】図６
0003158579.tif 000002
【実用新案登録請求の範囲】
【請求項１】
テープロールをセットするカッター、左右が対応する１組のカバーケースを組合せて構成し、
前記カバーケース上端には、テープ通し溝を設置し、両側の壁面にはそれぞれスライド槽部を設置し、スライド蓋を嵌めて接続し、
これにより前記スライド蓋は、前記スライド槽部に沿って、適当に前後にスライド可能となり、
しかも、前記スライド蓋前縁には、テープの切断に用いるブレードを固定して設置し、
前記スライド蓋上のブレードにおいて、その刃部は、フラットな刃上に、多数の凹型欠口を間隔を開けて設置し、幅が狭い多数のフラット部分を形成し、
前記カッター上のテープロールのテープを、前記テープ通し溝から引き出し、前記スライド蓋の前方へのスライド動作を完成後、前記スライド蓋上のブレードにより、引き出したテープに対して、カッティングを行い、
前記ブレード刃部上の多数のフラット部分は、相互間に、凹型欠口のセクションカッティング作用を備えるため、テープに対してカッティングの動作を維持し、
カットされたテープの切断面はフラットであるため、物件上に、より安定的で美しく貼ることができることを特徴とするテープカッターのスライド蓋ブレード刃部構造。
【考案の詳細な説明】
【技術分野】
【０００１】
本考案はテープカッターのスライド蓋ブレード刃部構造に関し、特にテープをカッティングでき、カッティングされたテープの切断面はフラットで整い、物件上に安定的で美しく貼ることができるテープカッターのスライド蓋ブレード刃部構造に関する。
【背景技術】
【０００２】
従来のテープカッターの構造は、特許文献１、及び２に掲示する。それは、左右が対応するカバーケースを組合せ構成し、テープロール３０をセットして、カッティングするために使用する。そのカバーケースの上端面には、テープ通し溝を備え、両側の壁面には、それぞれスライド槽部を設置し、スライド蓋１０を嵌めて設置する。これにより、スライド蓋１０は、スライド槽部に沿って、適当にスライド可能となり、しかもスライド蓋１０前縁には、カッティングブレード１１を設置する。上記した構造において、テープロール３０のテープ２０が、テープ通し溝から引き出され、スライド蓋１０が前方へのスライド動作を完成すると、スライド蓋１０上のカッティングブレード１１により、テープ２０に対してカッティングを行う。しかし、図１、２に示すように、従来のテープカッターのスライド蓋１０上のカッティングブレード１１において、その刃部１２は、多数の先端を備えたのこぎり刃状を呈する。これにより、テープ２０をカッティングする作用を形成することはできるが、テープ２０をカットした端縁の切断面は、カッティングブレード１１刃部１２に対応して、多数の先端を備えたのこぎり刃状を呈する。テープ２０の材質は、それ自体が弾性に富むため、テープ２０をカットした端縁の多数の先端を備えたのこぎり刃状切断面は、自然にさまざまな弧状を生じ、めくり上げたりして、或いは丸まってしまう(図３参照)。そのため、テープ２０を物件上に粘着する時には、カットした端縁をフラットに貼れないという問題が生じ易く、テープ２０粘着の安定性と美観に影響を及ぼす。しかも、テープ２０に対して、側辺から一定間隔毎にカッティングする時、従来のカッティングブレード１１では、尖端刃の根元が比較的長いため、カッティング部をガイドする間もなく、次のカッティング部に突き刺さり破いてしまい、それにより抵抗力は大きくなり、連続してカットする際に、より大きな力が必要となる。さらに、ガイドすることがないため、より多方向の切断面がラフとなる問題が生じ、布、スポンジ、繊維などの材質のテープではカッティングが困難になってしまう。本考案は、従来のテープカッターのブレード刃部構造の上記した欠点に鑑みてなされたものである。
【先行技術文献】
【特許文献】
【０００３】
【特許文献１】中華民国特許第Ｍ３４９９１９号
【特許文献２】中華民国特許第Ｍ３５８１４０号
【考案の概要】
【考案が解決しようとする課題】
【０００４】
本考案が解決しようとする課題は、テープロールをセットするカッター、左右が対応する１組のカバーケースを組合せて構成し、カバーケース上端には、テープ通し溝を設置し、両側の壁面にはそれぞれスライド槽部を設置し、スライド蓋を嵌めて接続し、スライド蓋はスライド槽部に沿って、適当に前後にスライド可能となり、スライド蓋前縁には、テープの切断に用いるブレードを固定して設置するテープカッターのスライド蓋ブレード刃部構造を提供することである。
【課題を解決するための手段】
【０００５】
上記課題を解決するため、本考案は下記のテープカッターのスライド蓋ブレード刃部構造を提供する。
テープカッターのスライド蓋ブレード刃部構造は、スライド蓋上のブレードにおいて、その刃部は、フラットな刃上に、多数の凹型欠口を間隔を開けて設置し、幅が狭い多数のフラット部分を形成し、
該カッター上のテープロールのテープを、該テープ通し溝から引き出し、該スライド蓋の前方へのスライド動作を完成後、該スライド蓋上のブレードにより、引き出したテープに対して、カッティングを行い、
該ブレード刃部上の多数のフラット部分は、相互間に、凹型欠口のセクションカッティング作用を備えるため、テープに対してカッティングの動作を維持し、
カットされたテープの切断面はフラットであるため、物件上に、より安定的で美しく貼ることができる。
【考案の効果】
【０００６】
本考案テープカッターのスライド蓋ブレード刃部構造は、テープをカッティングでき、カッティングされたテープの切断面はフラットで整い、物件上に安定的で美しく貼ることができる。
【図面の簡単な説明】
【０００７】
【図１】従来のテープカッターのスライド蓋上におけるカッティングブレード構造の模式図である。
【図２】従来のカッティングブレード刃部によりカッティングされたテープの切断面形状の模式図である。
【図３】従来のカッティングブレードによりカッティングされたテープを粘着させて使用する様子を示す模式図である。
【図４】本考案実施例の構造分解模式図である。
【図５】本考案実施例の組合せ外観模式図である。
【図６】本考案構造の立体模式図である。
【図７】本考案構造によりテープをカットしようとする時の様子を示す模式図である。
【図８】本考案構造によりテープをカットする様子を示す模式図である。
【図９】本考案構造によりカッティングされたテープの切断面形状の模式図である。
【図１０】本考案構造によりカッティングされたテープを粘着させて使用する様子を示す模式図である。
【考案を実施するための形態】
【０００８】
以下に図面を参照しながら本考案を実施するための最良の形態について詳細に説明する。
【実施例】
【０００９】
図４、５に示すように、テープカッターのスライド蓋ブレード刃部構造は、テープロール３０をカッター４０にセットして使用し、左右が対応する１組のカバーケース４０A、４０Bを組合せて構成する。カバーケース４０A(４０B)上端には、テープ通し溝４１を設置し、両側の壁面にはそれぞれスライド槽部４２を設置し、スライド蓋４３を嵌めて接続する。これによりスライド蓋４３は、スライド槽部４２に沿って、適当に前後にスライドすることができる。しかも、スライド蓋４３前縁には、テープの切断に用いるブレード４４を固定して設置する。図６に示すように、スライド蓋４３上のブレード４４において、その刃部は、フラットな刃上に、多数の凹型欠口４４０を間隔を開けて設置し、幅が狭い多数のフラット部分４４１を形成する。図４、５に示すように、カッター４０上のテープロール３０のテープ３１を、テープ通し溝４１から引き出(延長)し、図７、８、９に示すように、スライド蓋４３の前方へのスライド動作を完成後、スライド蓋４３上のブレード４４により、引き出したテープ３１に対して、カッティングを行う。ブレード４４刃部上の多数のフラット部分４４１は、相互間に、凹型欠口４４０のセクションカッティング作用を備えるため、テープ３１に対してカッティングの動作を維持すると同時に、図１０に示すように、カットされたテープ３１の切断面はフラットであるため、物件上に、より安定的で美しく貼ることができる。しかも、図９に示すように、テープ３１を、側辺から一定間隔毎にカッティングする時、各フラット部分４４１間において、凹型欠口４４０が形成する根元は比較的短いため、次のフラット部分４４１が、すぐに次の位置に導入(ガイド)される。そのため、抵抗力が小さく、連続カットが容易である。すなわち、ガイドが行われるため、フラットで美しい切断面を生じ、布、スポンジ、繊維などの材質のテープでも、すべてカッティングすることができる。
【００１０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１１】
本考案は実用新案の要件である新規性を備え、従来の同類製品に比べ十分な進歩を有し、実用性が高く、社会のニーズに合致しており、産業上の利用価値は非常に大きい。
【符号の説明】
【００１２】
１０  スライド蓋
１１  カッティングブレード
１２  刃部
２０  テープ
３０  テープロール
３１  テープ
４０  カッター
４０A、４０B  カバーケース
４１  テープ通し溝
４２  スライド槽部
４３  スライド蓋
４４  ブレード
４４０  凹型欠口
４４１  フラット部分
【図１】
0003158579.tif 000003
【図２】
0003158579.tif 000004
【図３】
0003158579.tif 000005
【図４】
0003158579.tif 000006
【図５】
0003158579.tif 000007
【図６】
0003158579.tif 000008
【図７】
0003158579.tif 000009
【図８】
0003158579.tif 000010
【図９】
0003158579.tif 000011
【図１０】
0003158579.tif 000012